(57)【要約】【課題】ユーザの操作又は自動的に負荷を起動する場合であっても、急激な電圧低下を抑制することが可能な電源制御装置を提供する。【解決手段】複数の第１及び第２負荷５ａ，５ｂそれぞれを起動する第１及び第２ＳＷ６ａ，６ｂがオンにされることで、第１及び第２負荷５ａ，５ｂへ電力を供給する電源制御装置１において、短時間で第１及び第２ＳＷ６ａ，６ｂがオンされたとき、第１及び第２負荷５ａ，５ｂに設定してある優先度の高低を比較し、比較の結果に基づいて、第１及び第２負荷５ａ，５ｂへの電力の供給を制御し、第１及び第２負荷５ａ，５ｂの起動タイミングをずらす。【選択図】図１
2010006360.tif 000002
【特許請求の範囲】
【請求項１】
複数の負荷それぞれの起動の信号を受け付け、前記負荷へ電力を供給する電源制御装置において、
異なるタイミングで複数の負荷の起動の信号を受け付けた場合、一の負荷の起動の信号を受け付けてから他の負荷の起動の信号を受け付けるまでの時間を取得する取得手段と、
前記一の負荷及び他の負荷に設定してある優先度の高低を比較する比較手段と、
前記取得手段が取得した時間が所定値以下の場合、前記比較手段による比較の結果に基づいて、前記一の負荷及び／又は他の負荷への電力の供給を制御する制御手段と
を備えることを特徴とする電源制御装置。
【請求項２】
前記制御手段は、
前記比較手段による比較の結果、前記一の負荷が前記他の負荷より優先度が高い場合、前記一の負荷へ電力供給されてから所定時間経過後に前記他の負荷へ電力を供給するようにしてある
ことを特徴とする請求項１に記載の電源制御装置。
【請求項３】
前記制御手段は、
前記一の負荷へ電力を供給し、前記比較手段による比較の結果、前記一の負荷が前記他の負荷より優先度が低い場合、前記他の負荷へ電力が供給される際に前記一の負荷への電力供給を遮断し、前記他の負荷へ電力が供給されてから所定時間経過後に、前記一の負荷へ電力を供給するようにしてある
ことを特徴とする請求項１又は２に記載の電源制御装置。
【発明の詳細な説明】
【技術分野】
【０００１】
本発明は、電力を供給する車両バッテリの急激な電圧低下を抑制する電源制御装置に関する。
【背景技術】
【０００２】
走行状態又は車両状態等を制御する制御装置の電気負荷にバッテリ電源を供給し起動した場合、電源投入時に一時的に大電流（突入電流）が流れる。図８は、２つの電気負荷を略同時に起動にした場合に２つの電気負荷に流れる電流を模式的に示す図である。図８に示すように、電気負荷１を起動するスイッチ１をオンにした場合、電気負荷１には一時的に大電流が流れ、その後正常に電流が流れる。電流が正常となる前に、電気負荷２を起動するスイッチ２をオンにした場合、２つの電気負荷１，２に流れる突入電流が重複する。このように、多数の電気負荷を同時に起動した場合、突入電流が重複し、バッテリの電圧が大幅に低下するおそれがある。
【０００３】
特許文献１には、突入電流が重なることで、バッテリ電圧が急激に低下することを防止する電源供給システムが開示されている。特許文献１に記載の電源供給システムでは、起動を遅延しても問題のない電気負荷（以下、低優先度負荷と言う）と、起動を遅延できない電気負荷（以下、高優先度負荷と言う）とに分類し、複数の電気負荷が同時に起動しないよう、各電気負荷の起動タイミングがずれるよう制御している。これにより、一斉に電気負荷が起動することで、急激な電圧低下を抑制することができる。
【特許文献１】特開２００７−１６１０１６号公報
【発明の開示】
【発明が解決しようとする課題】
【０００４】
特許文献１では、イグニッションスイッチがオンされた後、決められた順序でタイミングをずらして各電気負荷を起動している。しかしながら、ユーザが操作して各電気負荷を起動する場合、ユーザは起動順序及び起動時に発生する突入電流等を考慮せずに操作するため、先に低優先度負荷を起動し、その後高優先度負荷を起動することがある。このような場合、特許文献１に記載の電源供給システムでは、起動タイミングをずらす制御を行えず、急激な電圧低下を抑制することができない。
【０００５】
本発明は斯かる事情に鑑みてなされたものであり、その目的とするところは、ユーザの操作又は自動的に負荷を起動する場合であっても、急激な電圧低下を抑制することが可能な電源制御装置を提供することにある。
【課題を解決するための手段】
【０００６】
本発明に係る電源制御装置は、複数の負荷それぞれの起動の信号を受け付け、前記負荷へ電力を供給する電源制御装置において、異なるタイミングで複数の負荷の起動の信号を受け付けた場合、一の負荷の起動の信号を受け付けてから他の負荷の起動の信号を受け付けるまでの時間を取得する取得手段と、前記一の負荷及び他の負荷に設定してある優先度の高低を比較する比較手段と、前記取得手段が取得した時間が所定値以下の場合、前記比較手段による比較の結果に基づいて、前記一の負荷及び／又は他の負荷への電力の供給を制御する制御手段とを備えることを特徴とする。
【０００７】
本発明では、負荷の起動を受け付けた場合、該負荷への電力を供給する。この場合において、異なるタイミングで複数の負荷の起動を受け付けた場合、一の負荷の起動を受け付けてから他の負荷の起動を受け付けるまでの時間が所定値以下の場合、一の負荷及び他の負荷に設定してある優先度の高低を比較した結果に基づいて、一の負荷及び／又は他の負荷への電力供給を制御する。これにより、短時間の間に、設定した優先度に反した順序で負荷の起動を受け付けても、各負荷への電力供給を制御することで、各負荷の起動時に発生する突入電流をも制御することが可能となる。その結果、各負荷へ電力を供給するバッテリ等の蓄電器が急激に電圧低下しないようにすることが可能となる。なお、異なるタイミングとは、２つのタイミングの差が限りなくゼロであり、略同じタイミングとみなされる場合も含まれる。
【０００８】
本発明に係る電源制御装置は、前記制御手段は、前記比較手段による比較の結果、前記一の負荷が前記他の負荷より優先度が高い場合、前記一の負荷へ電力供給されてから所定時間経過後に前記他の負荷へ電力を供給するようにしてあることを特徴とする。
【０００９】
本発明では、一の負荷が他の負荷より優先度が高い場合、一の負荷へ電力が供給されてから所定時間経過後に他の負荷へ電力を供給する。即ち、優先度が高い一の負荷が先に起動された場合、一の負荷の起動直後に他の負荷の起動を受け付けても、所定時間は他の負荷の起動を禁止する。これにより、一の負荷及び他の負荷が略同時に起動することで、２つの負荷に発生する突入電流が重なり、バッテリが急激に電圧低下しないようにすることが可能となる。
【００１０】
本発明に係る電源制御装置は、前記制御手段は、前記一の負荷へ電力を供給し、前記比較手段による比較の結果、前記一の負荷が前記他の負荷より優先度が低い場合、前記他の負荷へ電力が供給される際に前記一の負荷への電力供給を遮断し、前記他の負荷へ電力が供給されてから所定時間経過後に、前記一の負荷へ電力を供給するようにしてあることを特徴とする。
【００１１】
本発明では、先に電力を供給した一の負荷が、後に起動を受け付けた他の負荷より優先度が低い場合、他の負荷へ電力が供給される際に一の負荷への電力供給を遮断する。これにより、優先度が高い他の負荷を優先的に起動することができる。そして、他の負荷が起動してから所定時間経過後に、一の負荷へ電力を供給することで、２つの負荷に発生する突入電流が重なり、バッテリが急激に電圧低下しないようにすることが可能となる。
【発明の効果】
【００１２】
本発明によれば、短時間の間に、設定した優先度に反した順序で負荷の起動を受け付けても、各負荷への電力供給を制御することで、各負荷の起動時に発生する突入電流をも制御することが可能となる。その結果、各負荷へ電力を供給するバッテリ等の蓄電器が急激に電圧低下しないようにすることが可能となる。
【発明を実施するための最良の形態】
【００１３】
以下、本発明を好適な２つの実施形態について、図面に基づいて詳述する。
【００１４】
（実施形態１）
本実施形態に係る電源制御装置は、車両に搭載され、運転者等のユーザによるスイッチ操作に従って電動モータ等の駆動系及びヘッドランプ等のランプ系等の負荷に電力を供給して起動する。負荷によっては起動時に大きな突入電流が流れるため、複数の負荷が同時に起動した場合には、突入電流が重なることで、消費電流が車両バッテリの規定電圧を維持可能な最大電流を超える場合がある。このため、本実施形態に係る電源制御装置は、負荷の起動タイミングが重ならないようにするために起動タイミングをずらすことで、車両バッテリの電圧低下を抑制する。
【００１５】
図１は、本実施形態に係る電源制御装置を備えた電源制御システムの構成を模式的に示すブロック図である。電源制御システムは、電源制御装置１の他に、バッテリ２、第１及び第２コントローラ３ａ，３ｂ、第１及び第２リレー４ａ，４ｂ、第１及び第２負荷５ａ，５ｂ、並びに第１及び第２スイッチ（以下、ＳＷと言う）６ａ，６ｂを備えている。
【００１６】
バッテリ２は、例えば１２Ｖの車両用バッテリである。バッテリ２には、直列接続された第１コントローラ３ａ、第１リレー４ａ及び第１負荷５ａ、並びに第２コントローラ３ｂ、第２リレー４ｂ及び第２負荷５ｂが並列に接続されている。第１及び第２コントローラ３ａ，３ｂは、例えば、パワーウィンドウコントローラ、ヘッドランプコントローラ及びオーディオコントローラ等である。第１及び第２リレー４ａ，４ｂは、オン又はオフすることで、第１及び第２コントローラ３ａ，３ｂと第１及び第２負荷５ａ，５ｂとを電気的に接続し又は遮断する。第１及び第２負荷５ａ，５ｂは、パワーウィンドウ用の電動モータ、ヘッドランプ及びオーディオ機器等である。例えば、第１コントローラ３ａがパワーウィンドウコントローラである場合、第１負荷５ａは、ウィンドウガラスを駆動する電動モータとなる。
【００１７】
第１及び第２コントローラ３ａ，３ｂは、内部バスにより接続されたＣＰＵ（Central Processing Unit）又はＭＰＵ（Micro Processing Unit）、ＲＯＭ（Read Only Memory）及びＲＡＭ（Random Access Memory）等から構成されるマイコンを備え、ＲＯＭに記憶された制御プログラムに従うＣＰＵ又はＭＰＵの動作により、第１及び第２リレー４ａ，４ｂ、並びに第１及び第２負荷５ａ，５ｂを制御するように構成されている。第１及び第２コントローラ３ａ，３ｂは、ユーザにより操作され、第１及び第２負荷５ａ，５ｂを起動するための第１及び第２ＳＷ６ａ，６ｂがオンされることで電源制御装置１から出力されるオン信号を入力したときに第１及び第２リレー４ａ，４ｂをオンに切り替える。第１及び第２負荷５ａ，５ｂは、第１及び第２リレー４ａ，４ｂがオンとなることでバッテリ２の電力が供給されて起動し、第１及び第２コントローラ３ａ，３ｂは、起動した第１及び第２負荷５ａ，５ｂの制御を行う。なお、第１及び第２ＳＷ６ａ，６ｂがオフにされた場合、電源制御装置１からオフ信号が出力され、第１及び第２コントローラ３ａ，３ｂは、第１及び第２リレー４ａ，４ｂをオフに切り替える。
【００１８】
電源制御装置１は、制御部１０、記憶部１１、受付部１２、出力部１３及び計時用のタイマ１４を備えている。受付部１２は、第１及び第２ＳＷ６ａ，６ｂが接続されており、第１及び第２ＳＷ６ａ，６ｂのオン又はオフを受け付ける。出力部１３は、第１及び第２コントローラ３ａ，３ｂに接続されており、第１及び第２コントローラ３ａ，３ｂに第１及び第２リレー４ａ，４ｂをオン又はオフにさせるオン又はオフ信号を第１及び第２コントローラ３ａ，３ｂへ出力する。記憶部１１は、マスクＲＯＭ及びＥＰＲＯＭ（Erasable Programmable ROM）等の不揮発性メモリであり、予め設定された第１及び第２負荷５ａ
，５ｂの優先度が記憶されている。本実施形態では、第１及び第２負荷５ａ，５ｂが略同時に起動された場合、電源制御装置１は、第１及び第２負荷５ａ，５ｂはタイミングをずらして起動するようになっており、第１及び第２負荷５ａ，５ｂの起動順序は優先度により決定する。優先度は、第１及び第２負荷５ａ，５ｂの消費電力量により設定してもよいし、その他の条件により設定してもよい。
【００１９】
制御部１０は、内部バスにより接続されたＣＰＵ又はＭＰＵ、ＲＯＭ及びＲＡＭ等から構成されるマイコンを備え、ＲＯＭに記憶された制御プログラムに従うＣＰＵ又はＭＰＵの動作により各種制御を行うように構成されている。制御部１０は、第１及び第２ＳＷ６ａ，６ｂの一方がオンされてから他方がオンされるまでの時間をタイマ１４から取得し、取得した時間が所定時間Ｔ以下である場合、記憶部１１に記憶された優先度に基づいて、第１及び第２コントローラ３ａ，３ｂそれぞれへオン又はオフ信号を出力し、第１及び第２負荷５ａ、５ｂを起動させるタイミングを制御する。所定時間Ｔとは、起動した負荷に突入電流が流れてから終わるまでに要する時間である。
【００２０】
ここで、制御部１０が制御する第１及び第２負荷５ａ，５ｂの起動タイミングについて説明する。
【００２１】
図２（ａ）は、第１ＳＷ６ａをオンにしてから時間Ｔ経過後に第２ＳＷ６ｂをオンにした場合、（ｂ）は第１ＳＷ６ａをオンにしてから時間Ｔ経過前に第２ＳＷ６ｂをオンにした場合に、第１及び第２負荷５ａ，５ｂに電流が流れるタイミングを示す図である。時間Ｔは、負荷に突入電流が流れた後、電流が定常状態になるまでの時間である。また、図２では、第１負荷５ａは第２負荷５ｂよりも優先度が高く設定されているものとする。
【００２２】
図２（ａ）において、第１ＳＷ６ａがオンにされた場合、制御部１０は、第１ＳＷ６ａのオンと同時に第１負荷５ａに電流を流し、第１負荷５ａを起動する。より具体的には、制御部１０は、第１コントローラ３ａにオン信号を出力し、第１コントローラ３ａが第１リレー４ａをオンに切り替える。これにより、第１負荷５ａに電流が流れ、第１負荷５ａが起動する。起動時には、第１負荷５ａには突入電流が流れ、その後、電流は定常状態となる。また、第１ＳＷ６ａがオンとなってから時間Ｔ経過後に第２ＳＷ６ｂがオンにされた場合、制御部１０は、第２ＳＷ６ｂのオンと同時に第２負荷５ｂに電流を流し、第２負荷５ｂを起動する。第１ＳＷ６ａをオンにしてから時間Ｔ経過後は、第１負荷５ａに流れる電流が定常状態となっているため、第２負荷５ｂを起動して、第２負荷５ｂに突入電流が流れた場合であっても、第１負荷５ａと第２負荷５ｂとに流れる突入電流が重なることがない。この結果、第１及び第２負荷５ａ，５ｂの総負荷に流れる電流がバッテリ２の規定電圧を維持可能な最大電流を超えないように制御できる。
【００２３】
図２（ｂ）において、第１ＳＷ６ａがオンにされた場合、制御部１０は、第１ＳＷ６ａのオンと同時に第１負荷５ａに電流を流し、第１負荷５ａを起動する。第１ＳＷ６ａをオンにしてから時間Ｔ経過前に第２ＳＷ６ｂがオンにされた場合、制御部１０は、第１ＳＷ６ａがオンにされてから時間ｔが経過するまで、第２負荷５ｂには電流を流さない。即ち、制御部１０は、第１負荷５ａが起動してから時間ｔだけ遅延させて、第２負荷５ｂを起動する。時間ｔは、少なくとも時間Ｔ以上となる値である。第１ＳＷ６ａをオンにしてから時間ｔ経過後は、第１負荷５ａに流れる電流が定常状態となっているため、第２負荷５ｂに電流が流れても、第１及び第２負荷５ａ，５ｂに流れる突入電流が重なることがない。このように、優先度が高い第１負荷５ａが先に起動された直後に第２負荷５ｂが起動された場合、第２負荷５ｂの起動を遅延させることで、第１及び第２負荷５ａ，５ｂの総負荷に流れる電流がバッテリ２の規定電圧を維持可能な最大電流を超えないよう、バッテリ２の電圧降下を抑制することが可能となる。
【００２４】
図３（ａ）は、第２ＳＷ６ｂをオンにしてから時間Ｔ経過後に第１ＳＷ６ａをオンにした場合、（ｂ）は第２ＳＷ６ｂをオンにしてから時間Ｔ経過前に第１ＳＷ６ａをオンにした場合に、第１及び第２負荷５ａ，５ｂに電流が流れるタイミングを示す図である。図３では、図２と同様に、第１負荷５ａは第２負荷５ｂよりも優先度が高く設定されているものとする。
【００２５】
図３（ａ）において、第２ＳＷ６ｂがオンにされた場合、制御部１０は、第２ＳＷ６ｂのオンと同時に第２負荷５ｂに電流を流し、第２負荷５ｂを起動する。また、第２ＳＷ６ｂがオンにされてから時間Ｔ経過後に第１ＳＷ６ａがオンにされた場合、制御部１０は、第１ＳＷ６ａのオンと同時に第１負荷５ａに電流を流し、第１負荷５ａを起動する。第２ＳＷ６ｂがオンにされてから時間Ｔ経過後は、第２負荷５ｂに流れる電流が定常状態となっているため、第１負荷５ａを起動して、負荷５ａに突入電流が流れた場合であっても、第１及び第２負荷５ａ，５ｂに流れる突入電流が重なることがない。この結果、第１及び第２負荷５ａ，５ｂの総負荷に流れる電流がバッテリ２の規定電圧を維持可能な最大電流を超えないように制御できる。
【００２６】
図３（ｂ）において、第２ＳＷ６ｂがオンにされた場合、制御部１０は、第２ＳＷ６ｂのオンと同時に第２負荷５ｂに電流を流し、第２負荷５ｂを起動する。第２ＳＷ６ｂがオンにされてから時間Ｔ経過前に第１ＳＷ６ａがオンにされた場合、制御部１０は、第１負荷５ａの優先度が第２負荷５ｂよりも高いため、第２負荷５ｂに流れる電流を遮断し、第１負荷５ａに電流を流し、第１負荷５ａを起動する。即ち、制御部１０は、一度起動した第２負荷５ｂを停止し、優先度の高い第１負荷５ａを先に起動する。そして、制御部１０は、第１負荷５ａを起動してから時間ｔ経過後に、第２負荷５ｂに再び電流を流し、第２負荷５ｂを起動する。第１負荷５ａが起動してから時間ｔ経過後は、第１負荷５ａに流れる電流が定常状態となっているため、第２負荷５ｂに電流が流れても、第１及び第２負荷５ａ，５ｂに流れる突入電流が重なることがない。このように、優先度が低い第２負荷５ｂが先に起動された直後に第１負荷５ａが起動された場合、第２負荷５ｂの起動を一旦停止し、先に第１負荷５ａを起動させた後、第２負荷５ｂを再び起動することで、第１及び第２負荷５ａ，５ｂの総負荷に流れる電流がバッテリ２の規定電圧を維持可能な最大電流を超えないよう、バッテリ２の電圧降下を抑制することが可能となる。
【００２７】
図４は、第１ＳＷ６ａ及び第２ＳＷ６ｂを同時にオンにした場合に、第１及び第２負荷５ａ，５ｂに電流が流れるタイミングを示す図であり、（ａ）は、起動タイミングを制御した場合、（ｂ）は、比較のため起動タイミングを制御しない場合を示す図である。図４では、図２及び図３と同様に、第１負荷５ａは第２負荷５ｂよりも優先度が高く設定されているものとする。
【００２８】
図４（ａ）において、第１ＳＷ６ａ及び第２ＳＷ６ｂが同時にオンにされた場合、制御部１０は、第１ＳＷ６ａ及び第２ＳＷ６ｂのオンと同時に第１負荷５ａに電流を流し、第１負荷５ａを起動する。そして、制御部１０は、第１負荷５ａがオンにされてから時間ｔ経過後に第２負荷５ｂに電流を流し、第２負荷５ｂを起動する。第１負荷５ａが起動してから時間ｔ経過後は、第１負荷５ａに流れる電流が定常状態となっているため、第２負荷５ｂに電流が流れても、第１及び第２負荷５ａ，５ｂに流れる突入電流が重なることがない。この結果、第１及び第２負荷５ａ，５ｂの総負荷に流れる電流がバッテリ２の規定電圧を維持可能な最大電流を超えないように制御できる。
【００２９】
図４（ｂ）では、第１ＳＷ６ａ及び第２ＳＷ６ｂが同時にオンにされた場合、第１負荷５ａ及び第２負荷５ｂに同時に電流が流れ、第１負荷５ａ及び第２負荷５ｂが起動している。この場合、第１及び第２負荷５ａ，５ｂに流れる突入電流が重なるため、第１及び第２負荷５ａ，５ｂの総負荷に流れる電流がバッテリ２の規定電圧を維持可能な最大電流を超えるようになる。その結果、バッテリ２の急激な電圧低下を引き起こすことになる。
【００３０】
このように、優先度が高い第１負荷５ａを先に起動した後に第２負荷５ｂを起動することで、第１及び第２負荷５ａ，５ｂの総負荷に流れる電流がバッテリ２の規定電圧を維持可能な最大電流を超えないよう、バッテリ２の電圧降下を抑制することが可能となる。
【００３１】
次に、本実施形態に係る電源制御装置１の動作について説明する。
【００３２】
図５は、本実施形態に係る電源制御装置１が実行する処理を示すフローチャートである。図５に示すフローチャートは、電源制御装置１の制御部１０により実行される。制御部１０は、処理を開始した場合、ＲＡＭの記憶内容のリセット及びタイマ１４のリセット等の初期化を行う（Ｓ１）。制御部１０は、第１ＳＷ６ａがオンにされたか否かを判定する（Ｓ２）。第１ＳＷ６aがオンにされていない場合（Ｓ２：ＮＯ）、制御部１０は、第１ＳＷ６aがオンにされるまで待機する。第１ＳＷ６ａがオンにされた場合（Ｓ２：ＹＥＳ）、制御部１０は、第１リレー４ａをオンにする（Ｓ３）。具体的には、制御部１０は、第１コントローラ３ａにオン信号を出力し、第１コントローラ３ａが第１リレー４ａをオンにする。これにより、第１負荷５ａに電流が流れ、第１負荷５ａは起動する。その後、制御部１０は、第２ＳＷ６ｂがオンにされたか否かを判定する（Ｓ４）。第２ＳＷ６ｂがオンにされていない場合（Ｓ４：ＮＯ）、制御部１０は、第２ＳＷ６ｂがオンにされるまで待機する。なお、Ｓ２及びＳ４において、制御部１０は、所定時間オンにされなければ、本処理を終了するようにしてもよい。また、Ｓ２とＳ４とが同時に判定されるようにしてもよいし、Ｓ２とＳ４との順序を逆にしてもよい。
【００３３】
第２ＳＷ６ｂがオンにされた場合（Ｓ４：ＹＥＳ）、制御部１０は、第１ＳＷ６ａがオンにされてから時間Ｔが経過しているか否かを判定する（Ｓ５）。時間Ｔが経過している場合（Ｓ５：ＹＥＳ）、制御部１０は、第２リレー４ｂをオンにする（Ｓ１４）。具体的には、制御部１０は、第２コントローラ３ｂにオン信号を出力し、第２コントローラ３ｂが第２リレー４ｂをオンにする。これにより、第２負荷５ｂに電流が流れ、第２負荷５ｂは起動する。その後、制御部１０は、本処理を終了する。即ち、制御部１０は、２つの第１及び第２ＳＷ６ａ，６ｂが時間Ｔをおいてオンとされた場合、第１及び第２負荷５ａ，５ｂに設定された優先度に拘わらず、オンと同時に第１及び第２負荷５ａ，５ｂを起動する。
【００３４】
一方、時間Ｔが経過していない場合（Ｓ５：ＮＯ）、制御部１０は、第１及び第２ＳＷ６ａ，６ｂに対応する第１及び第２負荷５ａ，５ｂに設定された優先度の高低を比較する（Ｓ６）。優先度は、記憶部１１に予め設定されており、制御部１０は、記憶部１１から第１及び第２負荷５ａ，５ｂに対応する優先度を取得し、比較する。
【００３５】
制御部１０は、第１負荷５ａが第２負荷５ｂより優先度が高いか否かを判定する（Ｓ７）。第１負荷５ａが第２負荷５ｂより優先度が高い場合（Ｓ７：ＹＥＳ）、制御部１０は、時間ｔが経過するまで待機する（Ｓ８）。制御部１０は、Ｓ３で第１リレー４ａをオンにしてからタイマ１４でカウントを開始し、カウントした時間が時間ｔとなるまで待機する。続いて、制御部１０は、第２リレー４ｂをオンにする（Ｓ９）。具体的には、制御部１０は、第２コントローラ３ｂにオン信号を出力し、第２コントローラ３ｂが第２リレー４ｂをオンにする。これにより、第２負荷５ｂは起動する。これにより、第２負荷５ｂは、図２（ｂ）に示すように、第１負荷５ａが起動してから時間ｔだけ遅延して起動する。その後、制御部１０は、本処理を終了する。
【００３６】
Ｓ７において、第１負荷５ａが第２負荷５ｂより優先度が高くない場合（Ｓ７：ＮＯ）、即ち、優先度が低い負荷が先に起動された場合、制御部１０は、第１リレー４ａをオフにし（Ｓ１０）、第２リレー４ｂをオンにする（Ｓ１１）。具体的には、制御部１０は、第１コントローラ３ａにオフ信号を出力し、第２コントローラ３ｂにオン信号を出力する。そして、第１コントローラ３ａが第１リレー４ａをオフにし、第２コントローラ３ｂが第２リレー４ｂをオンにする。これにより、一度起動した第１負荷５ａは停止し、第２負荷５ｂは起動する。その後、制御部１０は、時間ｔが経過するまで待機する（Ｓ１２）。制御部１０は、Ｓ１１で第２リレー４ｂをオンにしてからタイマ１４でカウントを開始し、カウントした時間が時間ｔとなるまで待機する。そして、制御部１０は、第１リレー４ａをオンにし（Ｓ１３）、本処理を終了する。これにより、第１負荷５ａは、図３（ｂ）に示すように、一度停止した後、第２負荷５ｂが起動してから時間ｔだけ遅延して起動する。その後、制御部１０は、本処理を終了する。
【００３７】
以上説明したように、本実施形態に係る電源制御装置１は、短時間で第１及び第２負荷５ａ，５ｂが起動される場合には、第１及び第２負荷５ａ，５ｂに設定された優先度に基づいて、起動タイミングを制御する構成としてある。優先度が高い負荷が起動され、短時間後に優先度が低い負荷が起動される場合には、優先度が低い負荷を所定時間遅延させて起動する。また、優先度が低い負荷が起動され、短時間後に優先度が高い負荷が起動される場合には、先に起動した優先度が低い負荷を一度停止し、優先度が高い負荷を優先的に起動する。そして、優先度が高い負荷が起動してから所定時間遅延させてから優先度が低い負荷を起動する。これにより、起動時に発生する突入電流の重複を回避することができ、バッテリ２の電圧低下を抑制することが可能となる。
【００３８】
なお、本実施形態では、電源制御システムは２つの負荷を備えているが、少なくとも２つの負荷を備えていればよく、３つ又はそれ以上の負荷を備えていてもよい。また、負荷の種類によって突入電流が流れる時間は異なっているが、負荷が複数ある場合、時間Ｔ及び時間ｔは、各負荷毎に設定してもよいし、全負荷から一番長いものに設定するようにしてもよい。
【００３９】
（実施形態２）
次に、本発明の実施形態２について説明する。実施形態１では、電源制御装置１が有する制御部１０が図５に示す処理を実行することで、第１及び第２負荷５ａ，５ｂの起動タイミングの制御を行っているが、本実施形態では、ハードウェアの構成により起動タイミングの制御を行う。以下、相違点についてのみ説明し、実施形態１と同一の部材及び構成については同じ符号を用い、説明は省略する。
【００４０】
図６は、本実施形態に係る電源制御装置１の構成を模式的に示すブロック図である。電源制御装置を備える電源制御システムの他の構成は実施形態１と同様であるため説明は省略する。また、以下の説明においては、第１負荷５ａが第２負荷５ｂよりも優先度が高く設定されているものとして説明する。
【００４１】
電源制御装置１は、第１及び第２出力部２０ａ，２０ｂ、検出部２１、タイマ２２、ＮＯＴゲート２３、及びＡＮＤゲート２４を備えている。検出部２１は、第１ＳＷ６ａがオンにされたことを検出する。検出部２１は、タイマ２２に接続されており、タイマ２２は、平時はＬｏ信号を出力し、検出部２１が第１ＳＷ６ａのオンを検出した場合、カウントを開始し、カウント開始後、所定時間ｔまではＨｉ信号を出力する。タイマ２２は、時間ｔとなったときカウントを停止しリセットする。即ち、タイマ２２は、第１ＳＷ６ａがオンにされてから時間ｔまではＨｉ信号を出力し、それ以外はＬｏ信号を出力する。タイマ２２が出力した信号はＮＯＴゲート２３に出力される。ＮＯＴゲート２３は、入力された信号を反転させ、ＡＮＤゲート２４に出力する。
【００４２】
ＡＮＤゲート２４は、ＮＯＴゲート２３からの信号と、第２ＳＷ６ｂからの信号とを論理積した結果を出力する。ＡＮＤゲート２４には、第２ＳＷ６ｂがオンされたときにＨｉ信号が入力され、オフされたときにＬｏ信号が入力される。従って、ＡＮＤゲート２４は、第１ＳＷ６ａがオンにされ、タイマ２２がカウントを開始してから時間ｔまでは、第２ＳＷ６ｂがオン又はオフに拘わらず、Ｌｏ信号を出力する。また、時間ｔとなった場合又は第１ＳＷ６ａがオフの場合、ＡＮＤゲート２４にはＮＯＴゲート２３からＨｉ信号が入力されるため、第２ＳＷ６ｂのオン又はオフに応じて、ＡＮＤゲート２４は、Ｈｉ又はＬｏ信号を出力する。
【００４３】
第１及び第２出力部２０ａ，２０ｂは、第１及び第２コントローラ３ａ，３ｂにオン又はオフ信号を出力する。第１出力部２０ａは、第１ＳＷ６ａがオンされた場合にオン信号を第１コントローラ３ａに出力し、第１ＳＷ６ａがオフされた場合にオフ信号を出力する。第２出力部２０ｂは、ＡＮＤゲート２４からＨｉ信号が出力された場合に、第２コントローラ３ｂにオン信号を出力し、Ｌｏ信号が出力された場合にオフ信号を出力する。実施形態１で説明したように、第１及び第２コントローラ３ａ，３ｂは、オン又はオフ信号が入力されることで、第１及び第２リレー４ａ，４ｂをオン又はオフに切り替える。
【００４４】
以上のように構成された電源制御装置１において、最初に優先度が高い第１負荷５ａを起動する場合、第１ＳＷ６ａがオンされることで、第１出力部２０ａは、オン信号を第１コントローラ３ａに出力する。これにより、第１リレー４ａがオンになり、第１負荷５ａが起動する。上述のように、第１ＳＷ６ａがオンにされてから時間ｔが経過するまではＡＮＤゲート２４はＬｏ信号を出力する。このため、時間ｔが経過するまでは、第２ＳＷ６ｂがオンにされても、第２出力部２０ｂにはＡＮＤゲート２４からＬｏ信号が入力され、第２出力部２０ｂは、オフ信号を第２コントローラ３ｂに出力する。従って、第２リレー４ｂはオンにならず、第２負荷５ｂは起動しない。一方、第１ＳＷ６ａがオンにされてから時間ｔが経過した場合、ＡＮＤゲート２４は、第２ＳＷ６ｂのオン又はオフに基づいてＨｉ又はＬｏ信号を出力する。このため、時間ｔが経過した後、第２ＳＷ６ｂがオンであれば、第２出力部２０ｂにはＡＮＤゲート２４からＨｉ信号が入力され、第２出力部２０ｂは、オン信号を第２コントローラ３ｂに出力する。従って、第２リレー４ｂがオンになり、第２負荷５ｂは起動する。このように、優先度が高い第１負荷５ａが先に起動された直後に第２負荷５ｂが起動された場合、第２負荷５ｂの起動を遅延させることができ、実施形態１の図２で説明した場合と同様の効果を奏することが可能となる。
【００４５】
また、電源制御装置１において、最初に優先度が低い第２負荷５ｂを起動する場合、第１ＳＷ６ａはオフでありタイマ２２はＨｉ信号を出力するため、第２ＳＷ６ｂがオンされることで、ＡＮＤゲート２４は、Ｈｉ信号を出力する。ＡＮＤゲート２４からＨｉ信号が入力された第２出力部２０ｂは、オン信号を第２コントローラ３ｂに出力する。これにより、第２リレー４ｂがオンになり、第２負荷５ｂが起動する。その後に第１ＳＷ６ａがオンにされた場合、第１リレー４ａがオンになり、第１負荷５ａが起動する。このとき第１ＳＷ６ａがオンとなることで、時間ｔが経過するまでは、ＡＮＤゲート２４は、Ｌｏ信号を出力する。ＡＮＤゲート２４からＬｏ信号が入力された第２出力部２０ｂは、オフ信号を第２コントローラ３ｂに出力する。これにより、第２コントローラ３ｂは、一度オンにした第２リレー４ｂをオフに切り替えるため、起動した第２負荷５ｂは停止する。そして、第１ＳＷ６ａがオンされてから時間ｔが経過した場合、上述のようにＡＮＤゲート２４からはＨｉ信号が出力されるため、第２出力部２０ｂは、オン信号を第２コントローラ３ｂに出力する。これにより、第２リレー４ｂがオンになり、第２負荷５ｂが再び起動する。このように、優先度が低い第２負荷５ｂが先に起動された直後に第１負荷５ａが起動された場合、第２負荷５ｂの起動を一旦停止し、先に第１負荷５ａを起動させた後、第２負荷５ｂを再び起動することができ、実施形態１の図３で説明した場合と同様の効果を奏することが可能となる。
【００４６】
また、電源制御装置１において、第１及び第２負荷５ａ，５ｂを同時に起動する場合、第１ＳＷ６ａがオンされることで、第１出力部２０ａは、オン信号を第１コントローラ３ａに出力する。これにより、第１リレー４ａがオンになり、第１負荷５ａが起動する。上述のように、第１ＳＷ６ａがオンにされてから時間ｔが経過するまではＡＮＤゲート２４はＬｏ信号を出力する。このため、第２ＳＷ６ｂがオンであるが、時間ｔが経過するまでは、第２出力部２０ｂにはＡＮＤゲート２４からＬｏ信号が入力され、第２出力部２０ｂは、オフ信号を第２コントローラ３ｂに出力する。従って、第２リレー４ｂはオンにならず、第２負荷５ｂは起動しない。一方、第１ＳＷ６ａがオンにされてから時間ｔが経過した場合、ＡＮＤゲート２４は、Ｈｉ信号を出力する。このため、時間ｔが経過した後、第２リレー４ｂがオンになり、第２負荷５ｂは起動する。このように、第１及び第２負荷５ａ，５ｂが同時に起動された場合、優先度が高い第１負荷５ａを先に起動し、第２負荷５ｂの起動を遅延させることができ、実施形態１の図４で説明した場合と同様の効果を奏することが可能となる。
【００４７】
以上説明したように、ハードウェアの構成により起動タイミングの制御を行っても、実施形態１と同様の効果を奏することができる。
【００４８】
（実施形態３）
次に、本発明の実施形態３について説明する。実施形態１では、第１及び第２ＳＷ６ａ，６ｂがオンされることにより第１及び第２負荷５ａ，５ｂを起動しているが、本実施形態では、第１負荷５ａが自動的に起動する点で相違する。以下、相違点についてのみ説明し、実施形態１と同一の部材及び構成については同じ符号を用い、説明は省略する。
【００４９】
図７は、本実施形態に係る電源制御装置を備えた電源制御システムの構成を模式的に示すブロック図である。本実施形態では、第１負荷５ａが第２負荷５ｂよりも優先度が高く設定されているものとし、第１負荷５ａは、周囲の照度によって自動でオンオフされるオートライトとし、第２負荷５ｂはシートヒータとして説明する。
【００５０】
本実施形態に係る電源制御システムは、実施形態１での第１ＳＷ６ａを備えておらず、第１コントローラ３ａが第１負荷５ａを起動させる信号を受付部１２に出力する構成としている。また、第１コントローラ３ａには、周囲の照度を検出する照度センサ１５が接続されており、第１コントローラ３ａは、照度センサ１５による検出結果に応じて、第１負荷５ａのオンオフを決定し、受付部１２に信号を出力する。
【００５１】
以上のように構成された電源制御システムの電源制御装置１は、照度センサ１５の検出結果により、最初に第１負荷５ａが起動された場合、上述のように、第１負荷５ａに電流を流してから時間ｔが経過するまでは、第２ＳＷ６ｂがオンにされても第２負荷５ｂへ電流を流さない。一方、第１負荷５ａに電流を流してから時間ｔが経過した後、第２ＳＷ６ｂがオンであれば、第２負荷５ｂへ電流を流す。このように、優先度が高い第１負荷５ａが先に起動された直後に第２負荷５ｂが起動された場合、第２負荷５ｂの起動を遅延させることができ、実施形態１の図２で説明した場合と同様の効果を奏することが可能となる。
【００５２】
また、電源制御装置１は、最初に優先度が低い第２負荷５ｂが起動された場合、第２ＳＷ６ｂがオンされてから時間Ｔが経過するまでに第１負荷５ａが起動されたとき、第２負荷５ｂへの電流を停止する。そして、第１負荷５ａに電流を流し、時間ｔが経過した後、第２負荷５ｂに再び電流を流す。このように、優先度が低い第２負荷５ｂが先に起動された直後に第１負荷５ａが起動された場合、第２負荷５ｂの起動を一旦停止し、先に第１負荷５ａを起動させた後、第２負荷５ｂを再び起動することができ、実施形態１の図３で説明した場合と同様の効果を奏することが可能となる。
【００５３】
さらに、電源制御装置１は、第１及び第２負荷５ａ，５ｂが同時に起動された場合、第１負荷５ａに電流を流してから時間ｔが経過してから第２負荷５ｂに電流を流す。このように、第１及び第２負荷５ａ，５ｂが同時に起動された場合、優先度の低い第２負荷５ｂの起動を一定期間遅らせることができ、実施形態１の図４で説明した場合と同様の効果を奏することが可能となる。
【００５４】
このように、ユーザの意思に関係なくオンされる第１負荷５ａと、シートヒータである第２負荷５ｂとが略同時に起動されても、優先度の低い第２負荷５ｂの起動を遅延させることで、突入電流が重なることを防止することができる。また、第２負荷５ｂは、シートヒータであり、時定数が長いため、図２のように時間起動を多少遅らせても、ユーザが違和感を抱くおそれは少なく、起動の遅れによる影響を少なくすることができる。
【００５５】
なお、第１負荷５ａはオートワイパーであってもよいし、第２負荷５ｂはリアデフォッガであってもよい。オートワイパーは、雨滴を感知したときに自動で起動するワイパーである。また、オートライト、オートワイパー、リアデフォッガ及びシートヒータの全てを組み合わせてもよい。この場合、優先度は、オートライト、オートワイパー、リアデフォッガ及びシートヒータの順に低くなるように設定される。
【００５６】
さらに、第１負荷５ａをオートライト、第２負荷５ｂをオートワイパーとしてもよい。この場合、電源制御システムは、第２ＳＷ６ｂを備えず、第２コントローラ３ｂから受付部１２に第２負荷５ｂを起動する信号が出力される。この構成では、何れの負荷５ａ，５ｂもユーザの意思に関係なく、自動で起動されるため、起動のタイミングが遅れてもユーザが違和感を抱くおそれはない。
【００５７】
実施形態３に係る電源制御装置が実行する処理は、実施形態１で説明した図５のフローチャートと同じであるため、説明は省略する。
【００５８】
以上、本発明の好適な実施形態について、具体的に説明したが、各構成及び各処理動作等は適宜変更可能であって、上述の実施形態に限定されることはない。上述の実施形態に係る電源制御システムでは、第１及び第２負荷５ａ，５ｂそれぞれに第１及び第２ＳＷ６ａ，６ｂが設けられているが、一つのスイッチを切り替えることで複数の負荷をまとめて起動できる構成としてもよい。例えば、ランプ用のスイッチをオンとした場合に、テールランプ、ヘッドランプ、及びフォグランプが順に遅延して点灯するように構成してもよい。この場合も、上述の実施形態と同様に起動時に発生する突入電流の重複を回避することが可能となる。
【図面の簡単な説明】
【００５９】
【図１】実施形態１に係る電源制御装置を備えた電源制御システムの構成を模式的に示すブロック図である。
【図２】（ａ）は、第１ＳＷをオンにしてから時間Ｔ経過後に第２ＳＷをオンにした場合、（ｂ）は第１ＳＷをオンにしてから時間Ｔ経過前に第２ＳＷをオンにした場合に、第１及び第２負荷に電流が流れるタイミングを示す図である。
【図３】（ａ）は、第２ＳＷをオンにしてから時間Ｔ経過後に第１ＳＷをオンにした場合、（ｂ）は第２ＳＷをオンにしてから時間Ｔ経過前に第１ＳＷをオンにした場合に、第１及び第２負荷に電流が流れるタイミングを示す図である。
【図４】第１ＳＷ及び第２ＳＷを同時にオンにした場合に、第１及び第２負荷に電流が流れるタイミングを示す図であり、（ａ）は、起動タイミングを制御した場合、（ｂ）は、比較のため起動タイミングを制御しない場合を示す図である。
【図５】実施形態１に係る電源制御装置が実行する処理を示すフローチャートである。
【図６】実施形態２に係る電源制御装置の構成を模式的に示すブロック図である。
【図７】実施形態３に係る電源制御装置を備えた電源制御システムの構成を模式的に示すブロック図である。
【図８】２つの電気負荷を略同時に起動にした場合に２つの電気負荷に流れる電流を模式的に示す図である。
【符号の説明】
【００６０】
１  電源制御装置
２  バッテリ
３ａ  第１コントローラ
３ｂ  第２コントローラ
４ａ  第１リレー
４ｂ  第２リレー
５ａ  第１負荷
５ｂ  第２負荷
６ａ  第１ＳＷ
６ｂ  第２ＳＷ
【図１】
2010006360.tif 000003
【図２】
2010006360.tif 000004
【図３】
2010006360.tif 000005
【図４】
2010006360.tif 000006
【図５】
2010006360.tif 000007
【図６】
2010006360.tif 000008
【図７】
2010006360.tif 000009
【図８】
2010006360.tif 000010